(57)【特許請求の範囲】
【請求項１】
装置本体側の本体部品が操作されて該装置本体に対して変移されるのに連動して当該装置本体の装置状態の表示切替をする表示装置であって、
前記装置本体側に対する相対的な対面姿勢を維持されている第１偏光フィルムと、前記本体部品側に対する相対的な対面姿勢を維持されている第２偏光フィルムと、を備えており、
前記本体部品は、前記装置本体側に対して前記操作により回転方向に相対変移される構造であるのに対して、
前記第１偏光フィルムは、前記本体部品の回転中心からの均等距離位置に延在して回転自在に保持される外周縁部を有して、該外周縁部の一部に錘部材を備えることにより前記装置本体側部材の外面に対面して相対的な姿勢を維持する第１維持部材に設けられて、前記本体部品の前記操作に連動することなく前記装置本体側に対する相対回転方向に不動であり、
前記第２偏光フィルムは、前記本体部品の外面側に固設されることにより前記本体部品側部材の外面に対面して相対的な姿勢を維持する第２維持部材に設けられて、前記本体部品の前記操作に連動して前記装置本体側に対する相対回転方向に回転し、
前記第１、第２維持部材は、前記外周縁部内に前記第１、第２偏光フィルムを配設する空間が形成され、
前記第１、第２偏光フィルムは、前記本体部品の前記操作による前記装置本体側に対する変移に応じて透光または遮光する状態で互いに対面するように取り付けられ、背面側に位置する情報の前記透光による表示許可あるいは前記遮光による表示禁止をして、前記装置本体の装置状態を切替表示することを特徴とする表示装置。
【請求項２】
装置本体側の本体部品が操作されて該装置本体に対して変移されるのに連動して当該装置本体の装置状態の表示切替をする表示装置であって、
前記装置本体側に対する相対的な対面姿勢を維持されている第１偏光フィルムと、前記本体部品側に対する相対的な対面姿勢を維持されている第２偏光フィルムと、を備えており、
前記本体部品は、前記装置本体側に対して前記操作により回転方向に相対変移される構造であるのに対して、
前記第１偏光フィルムは、前記本体部品の回転中心に一致する回転軸に回転自在に保持されて外周縁部の一部に錘部材を備えることにより前記装置本体側部材の外面に対面して相対的な姿勢を維持する第１維持部材に設けられて、前記本体部品の前記操作に連動することなく前記装置本体側に対する相対回転方向に不動であり、
前記第２偏光フィルムは、前記本体部品の外面側に固設されることにより前記本体部品側部材の外面に対面して相対的な姿勢を維持する第２維持部材に設けられて、前記本体部品の前記操作に連動して前記装置本体側に対する相対回転方向に回転し、
前記第１、第２維持部材は、前記回転軸周りに前記第１、第２偏光フィルムを配設する空間が形成され、
前記第１、第２偏光フィルムは、前記本体部品の前記操作による前記装置本体側に対する変移に応じて透光または遮光する状態で互いに対面するように取り付けられ、背面側に位置する情報の前記透光による表示許可あるいは前記遮光による表示禁止をして、前記装置本体の装置状態を切替表示することを特徴とする表示装置。
【請求項３】
前記装置状態の情報を表示する表示部材を備えており、
前記第１、第２偏光フィルムは、前記表示部材の前記装置状態の情報を前記透光あるいは前記遮光により切替表示することを特徴とする請求項１または２に記載の表示装置。
【請求項４】
前記第１、第２偏光フィルムは、前記装置本体側に設けられている前記装置状態の情報を前記透光あるいは前記遮光により切替表示することを特徴とする請求項１または２に記載の表示装置。
【発明の詳細な説明】
【技術分野】
【０００１】
本発明は、表示装置に関し、詳しくは、装置本体の操作の有無を明確に判別可能に切替表示をするものに関する。
【背景技術】
【０００２】
各種装置には、スイッチ等の操作部品（本体部品）を取り付けて、その操作部品を回転あるいはスライドさせるなどして装置本体に対して変移させることにより、例えば、備える機能を動作させたり、あるいは、待機中などの装置の状況を選択することが行われている。このような装置状態は、目視により確認可能にその操作部品周りに表示されている。
【０００３】
この種の装置状態は、一般的には、例えば、入／切などの切替後の装置状態の一方を操作部品が指し示すなどして表示することが行われているが、その指示する突起などが小さく判別し難いとともに、その表示文字も小さいことから見づらく勘違いしてしまう場合がある。このことから、装置状態の切替表示には各種工夫がなされている。
【０００４】
例えば、特許文献１には、複数の透光孔の配列により文字を形成した彫刻板をカラー板と半透明シートの背面側に設置して積層状態にしてボタン（操作部品）内に内装させるとともに、その彫刻板のさらに下層に光源を配置する構造が提案されている。この構造では、光源の点灯時にのみ彫刻板の文字がボタン外面に表示され、ボタン操作した機能のみを目視可能にすることができる。
【０００５】
また、特許文献２には、ボタン（操作部品）内部に各種情報を表示可能な液晶板を内装させるとともに、その液晶板の上部にレンズを配置する構造が提案されている。この構造では、表示領域を拡大することができる。
【０００６】
また、特許文献３には、操作部品の目視可能な外面に透視部を形成して、その透視部内に情報を表示する表示板を不動状態に設置する構造が提案されている。この構造では、操作部品の操作内容を見やすく表示することができる。
【先行技術文献】
【特許文献】
【０００７】
【特許文献１】特開平１１−１３４９６０号公報
【特許文献２】特開２００３−７７３５７号公報
【特許文献３】特開２００４−１４６０９０号公報
【発明の概要】
【発明が解決しようとする課題】
【０００８】
しかしながら、このような上記文献１に記載の表示装置にあっては、光源の電源が必要であり、操作部品の操作に連動してその光源をオン／オフさせる機構を追加しなければならない。このため、装置構成が複雑になってしまうとともに、既存の装置には設置することができない。
【０００９】
また、上記文献２に記載の表示装置にあっては、表示内容を拡大することにより見易くなるが、表示切替の前後に差がなく、勘違いしてしまうことを防止することはできない。また、液晶を駆動させる電源が必要になって装置構成が複雑になってしまうとともに、既存の装置には設置することができない。
【００１０】
また、上記文献３に記載の表示装置にあっては、常に透視部を透して表示内容を目視可能であることから、表示切替の前後に差がなく、勘違いしてしまうことを防止することはできない。
【００１１】
そこで、本発明は、電源を必要とすることなく、装置状態の表示切替をすることのできる、安価かつ簡易な構成で既設装置に設置可能な表示装置を提供することを目的としている。
【課題を解決するための手段】
【００１２】
上記課題を解決する表示装置の発明の一態様は、装置本体側の本体部品が操作されて該装置本体に対して変移されるのに連動して当該装置本体の装置状態の表示切替をする表示装置であって、前記装置本体側に対する相対的な対面姿勢を維持されている第１偏光フィルムと、前記本体部品側に対する相対的な対面姿勢を維持されている第２偏光フィルムと、を備えており、前記第１、第２偏光フィルムは、前記本体部品の前記操作による前記装置本体側に対する変移に応じて透光または遮光する状態で互いに対面するように取り付けられ、背面側に位置する情報の前記透光による表示許可あるいは前記遮光による表示禁止をして、前記装置本体の装置状態を切替表示することを特徴とするものである。
【００１３】
この発明の態様では、装置本体に対して本体部品を変移させるように操作したときに、その装置本体に対する本体部品の変移に連動して第１、第２偏光フィルムの相対的な対面状態が透光状態と遮光状態の一方から他方に切り替わって背面側の情報の表示許可または表示禁止をすることができる。したがって、対面する大面積の第１、第２偏光フィルムを介して背面側情報を目視可能または目視不能にして表示切替をすることができる。
【発明の効果】
【００１４】
このように本発明の一態様によれば、本体部品の操作に第１、第２偏光フィルムの対面状態が連動して背面側情報を透光表示または遮光表示（表示禁止）することができ、第１、第２偏光フィルムを対面させるだけの簡易な構造で、大面積の背面側情報の有無（本体部品の操作に連動する目視可能な表示の有無）により装置状態を容易かつ明確に把握することができる。したがって、電源を必要とすることのない安価かつ簡易な構成で、装置状態の明確な表示切替を容易に連動させることができ、また、既設装置にも設置することもできる。
【図面の簡単な説明】
【００１５】
【図１】本発明に係る表示装置の第１実施形態を示す図であり、その概略全体構成を示す正面図である。
【図２】その表示切替を示す図であり、（ａ）は表示禁止状態を示す平面図、（ｂ）は表示許可状態を示す平面図である。
【図３】その内部構造を示す縦断面図である。
【図４】本発明に係る表示装置の第２実施形態を示す図であり、（ａ）は表示禁止状態を示す平面図、（ｂ）は表示許可状態を示す平面図である。
【図５】その内部構造を示す縦断面図である。
【図６】本発明に係る表示装置の第３実施形態を示す図であり、（ａ）は表示禁止状態を示す平面図、（ｂ）は表示許可状態を示す平面図である。
【図７】その他の態様を示す側面図である。
【発明を実施するための形態】
【００１６】
本発明の実施形態の一態様としては、装置本体側の本体部品が操作されて該装置本体に対して変移されるのに連動して当該装置本体の装置状態の表示切替をする表示装置であって、前記装置本体側に対する相対的な対面姿勢を維持されている第１偏光フィルムと、前記本体部品側に対する相対的な対面姿勢を維持されている第２偏光フィルムと、を備えており、前記第１、第２偏光フィルムは、前記本体部品の前記操作による前記装置本体側に対する変移に応じて透光または遮光する状態で互いに対面するように取り付けられ、背面側に位置する情報の前記透光による表示許可あるいは前記遮光による表示禁止をして、前記装置本体の装置状態を切替表示する構成を備えるのに加えて、次の構成を備えてもよい。
【００１７】
第１の他の態様としては、前記本体部品は、前記装置本体側に対して前記操作により回転方向に相対変移される構造であるのに対して、前記第１、第２偏光フィルムの一方は、前記本体部品の前記操作に連動することなく前記装置本体側に対する相対回転方向に不動であり、前記第１、第２偏光フィルムの他方は、前記本体部品の前記操作に連動して前記装置本体側に対する相対回転方向に回転する状態で当該一方に対面することにより前記透光状態または前記遮光状態になるように、それぞれ取り付けられていてもよい。
【００１８】
この態様では、本体部品が回転されるのに連動して、第１、第２偏光フィルムの不動状態の一方に対して他方が相対回転することにより透光状態または遮光状態になって、背面側情報の表示許可または表示禁止をすることができる。
【００１９】
第２の他の態様としては、前記第１偏光フィルムは、前記装置本体側部材の外面に対面して相対的な姿勢を維持する第１維持部材に設けられ、前記第２偏光フィルムは、前記本体部品側部材の外面に対面して相対的な姿勢を維持する第２維持部材に設けられていてもよい。
【００２０】
この態様では、第１、第２偏光フィルムは第１、第２維持部材にそれぞれ設けるだけで装置本体と本体部品のそれぞれに対して対面姿勢を維持することができ、第１、第２維持部材を装置本体と本体部品のそれぞれに取り付けるだけで設置することができる。
【００２１】
第３の他の態様としては、前記本体部品は、前記装置本体側に対して前記操作により相対回転して変移される構造であるのに対して、前記第１維持部材は、前記本体部品の回転中心からの均等距離位置に延在して回転自在に保持される外周縁部を有して、該外周縁部の一部に錘部材を備えるとともに、前記第２維持部材は、前記本体部品の外面側に固設されており、当該第１、第２維持部材は、前記外周縁部内に前記第１、第２偏光フィルムを配設する空間が形成されていてもよい。
【００２２】
この態様では、第１維持部材は外周縁部の錘部材が最下に位置するように本体部品に対してその外周縁部を回転自在に取り付けるとともに、第２維持部材はその本体部品に対して不動状態に固設することにより、第１、第２維持部材に設けた第１、第２偏光フィルムが装置本体と本体部品のそれぞれに対する対面姿勢を維持することができ、外周縁部内で第１、第２偏光フィルムを対面させることができる。
【００２３】
第４の他の態様としては、前記本体部品は、前記装置本体側に対して前記操作により相対回転して変移される構造であるのに対して、前記第１維持部材は、前記本体部品の回転中心に一致する回転軸に回転自在に保持されて外周縁部の一部に錘部材を備えるとともに、前記第２維持部材は、前記本体部品の外面側に固設されており、当該第１、第２維持部材は、前記回転軸周りに前記第１、第２偏光フィルムを配設する空間が形成されていてもよい。
【００２４】
この態様では、第１維持部材は外周縁部の錘部材が最下に位置するように回転軸に回転自在に取り付けるとともに、第２維持部材はその本体部品に対して不動状態に固設することにより、第１、第２維持部材に設けた第１、第２偏光フィルムが装置本体と本体部品のそれぞれに対する対面姿勢を維持することができ、外周縁部内の回転軸周りで第１、第２偏光フィルムを対面させることができる。
【００２５】
第５の他の態様としては、前記装置状態の情報を表示する表示部材を備えており、前記第１、第２偏光フィルムは、前記表示部材の前記装置状態の情報を前記透光あるいは前記遮光により切替表示するようにしてもよい。
【００２６】
この態様では、第１、第２偏光フィルムの背面側に装置状態を任意の形態で表示する情報を配置することができ、例えば、目視により容易に認識可能な形態を第１、第２偏光フィルムを介して表示許可（透光表示）または表示禁止（遮光表示）することができる。
【００２７】
第６の他の態様としては、前記第１、第２偏光フィルムは、前記装置本体側に設けられている前記装置状態の情報を前記透光あるいは前記遮光により切替表示するようにしてもよい。
【００２８】
この態様では、第１、第２偏光フィルムの背面側に位置する装置本体の外面に表示されている情報を第１、第２偏光フィルムを介して表示許可（透光表示）または表示禁止（遮光表示）することができ、装置本体側に既存の情報を利用して表示切替をすることができる。
【００２９】
以下、図面を参照して、本発明の実施形態について詳細に説明する。図１〜図３は本発明に係る表示装置の第１実施形態を示す図である。
【００３０】
図１において、表示装置１０は、例えば、発電所などに設置されている各種制御装置（装置本体）１００の切替スイッチ（本体部品）１０１に取り付けられており、切替スイッチ１０１は、摘んで時計回り、あるいは、反時計回りに捩じって、９０°回転（変移）させることにより、制御装置１００の制御対象の入り／切りを切替操作するようになっている。この制御装置１００は、制御対象の入り／切り状態（装置状態）を、切替スイッチ１０１の外周面外方に突出する指示突起１０１ａが指し示す位置（文字領域）Ｃ１、Ｃ２に、「入」と「切」の文字を表示することにより、制御対象の入り／切り状態を表示するようになっている。
【００３１】
この表示装置１０は、操作を確実に遂行すべき切替スイッチ１０１に取り付けられており、その入り／切り状態を表示領域１１ｂの表示情報で直感的に把握できるように補助的に表示するようになっている。ここで、この表示装置１０は、全ての切替スイッチ１０１に取り付けてもよいことは言うまでもない。
【００３２】
具体的には、表示装置１０は、図２および図３に示すように、切替スイッチ１０１と同径で短尺な円柱形状に形成されており、背面側の切替スイッチ１０１の指示突起１０１ａを目視可能にして、その切替スイッチ１０１による制御装置１００の入り／切り状態の表示を妨げることがないように作製されている。
【００３３】
この表示装置１０は、切替スイッチ１０１と同径で底の浅い短尺な有底の円筒形状に形成されている外円筒部材（第２維持部材）１１と、この外円筒部材１１の開口を閉止するように外周縁部端面に貼付されている外偏光フィルム（第２偏光フィルム）１５と、外円筒部材１１の内径よりも小さな外径でより短尺な両面側の開放されている円筒形状の内円筒部材（第１維持部材）２１と、この内円筒部材２１の一方の開口を閉止するように外周縁部端面に貼付されている内偏光フィルム（第１偏光フィルム）２５と、により作製されている。
【００３４】
外円筒部材１１は、底部外面１１ａが切替スイッチ１０１の円形外面１０１ｂに貼付されており、その切替スイッチ１０１に対して相対的な姿勢を維持しつつ一体に回転（連動）するように固定されている。この外円筒部材１１の底部内面（表示部材）１１ｂは、制御装置１００の制御対象が入り状態であることを示す赤色に形成されている。ここで、図中にはトーンにより赤色が付されていることを図示している（図２（ｂ）参照）。
【００３５】
また、外円筒部材１１は、底部内面１１ｂの円形中心に内円筒部材２１を回転自在に軸支する支持軸（回転軸）１２が固設されており、この支持軸１２は、外円筒部材１１の底部内面１１ｂに立設されている軸本体１２ａに、小径部と頭部とを有する軸部１２ｂが軸心を一致させる姿勢で固定されることにより内円筒部材２１を回転自在に軸支するようになっている。
【００３６】
内円筒部材２１は、外周縁部の一部から円形中心部まで延在する錘部２２が一体形成されており、錘部２２の端部（円形中心部）に形成されている貫通穴２２ａに、外円筒部材１１の支持軸１２の軸部１２ｂの小径部が貫通されて軸本体１２ａに固設されることにより、その軸部１２ｂの頭部で脱落不能に衝止されて回転自在に軸支されている。
【００３７】
これにより、外円筒部材１１は、切替スイッチ１０１と一体に時計回り方向／反時計回り方向に正逆回転される一方、内円筒部材２１は、錘部２２が自重により鉛直姿勢を保つことにより常時回転位置を維持（制御装置１００に対する回転角を不動にして相対的な姿勢を維持）することができる。
【００３８】
偏光フィルム１５、２５は、一方向に振動する光のみを透過するフィルムであり、円筒部材１１、２１の外周縁部端面に貼付されることにより対面する姿勢を維持する状態で固設されている。
【００３９】
この偏光フィルム１５、２５は、切替スイッチ１０１の指示突起１０１ａが「入」文字を表示する文字領域Ｃ１を指し示すときに、透光する光の振動方向を一致させて光を透過するように円筒部材１１、２１の外周縁部端面に貼付されている。
【００４０】
これにより、表示装置１０は、切替スイッチ１０１が時計回り／反時計回りに９０°回転されたときには、外円筒部材１１が内円筒部材２１に対しても時計回り／反時計回りに９０°相対回転されることになり、偏光フィルム１５が偏光フィルム２５に対して時計回り／反時計回りに９０°相対回転される。
【００４１】
よって、この表示装置１０は、図２（ｂ）に示すように、切替スイッチ１０１の指示突起１０１ａが「入」文字を表示する文字領域Ｃ１を指し示すときには、偏光フィルム１５、２５が透光（表示許可）する相対回転角になって、背面側に位置する外円筒部材１１の底部内面１１ｂの赤色（表示情報）を外部から内部空間を透して目視可能に大面積表示して目立たせることができ、切替スイッチ１０１が入り状態に切替操作されていることを直感的に把握させることができる。
【００４２】
反対に、表示装置１０は、図２（ａ）に示すように、切替スイッチ１０１の指示突起１０１ａが「切」文字を表示する文字領域Ｃ２を指し示すときには、偏光フィルム１５、２５のそれぞれが透光する光の振動方向が９０°相違して遮光（表示禁止）する相対回転角になって、背面側に位置する外円筒部材１１の底部内面１１ｂの赤色を外部から目視不能にすることができ、切替スイッチ１０１が切り状態（入り状態でない）に切替操作されていることを直感的に把握させることができる。
【００４３】
このように本実施形態においては、制御装置１００の切替操作が重要な切替スイッチ１０１に、円筒部材１１、２１に偏光フィルム１５、２５を貼付して対面させるだけの簡易かつ安価な構造の後付け可能な表示装置１０を固設するだけで、切替スイッチ１０１の切替操作に応じて、「入」状態時には大面積の赤色を透光表示させる一方、「切」状態時には赤色表示を遮光禁止して装置状態を容易かつ明確に把握可能にすることができる。したがって、電源を必要とすることなく、制御装置１００の切替操作状況を直感的かつ明確に把握可能に容易に表示することができる。
【００４４】
次に、図４および図５は本発明に係る表示装置の第２実施形態を示す図である。ここで、本実施形態は、上述実施形態と略同様に構成されていることから、同様な構成には同一の符号を付して特徴部分を説明する（以下で説明する他の実施形態においても同様）。
【００４５】
図４および図５において、表示装置１０は、図１に示す制御装置１００の切替スイッチ１０１に取り付けられており、上述実施形態における内円筒部材２１に代えて、内偏光フィルム２５を外周縁部端面に貼付されている内円筒部材３１が外円筒部材１１内に回転自在に収納されている。
【００４６】
内円筒部材３１は、回転中心からの均等距離位置に延在する外周縁部のみとなる形状に形成されており、上述実施形態における支持軸１２に代えて、外円筒部材１１の内周面に形成されているガイド溝１１ｃ内に回転自在に収納されている。なお、外円筒部材１１のガイド溝１１ｃは、内円筒部材３１を滑りよく回転自在に保持するために、潤滑油やベアリングなど適宜採用する。
【００４７】
この内円筒部材３１は、その外周縁部の一部を肉厚に形成した錘部３２を備えることにより、その錘部３２が常に最下に位置するように回転するとともに、円筒形状の内部空間の全面を透過／遮光領域にすることができる。
【００４８】
これにより、内円筒部材２１は、外円筒部材１１が切替スイッチ１０１と一体に時計回り方向／反時計回り方向に正逆回転されるのに関わりなく、錘部３２が自重により最下に位置して常時回転位置を維持することができる。
【００４９】
よって、この表示装置１０は、図４（ｂ）に示すように、制御装置１００の切替スイッチ１０１が入り状態に切替操作されていることを、外円筒部材１１の底部内面１１ｂ全面の赤色（表示情報）を透光表示許可して直感的に把握させることができ、反対に、図４（ａ）に示すように、切替スイッチ１０１が切り状態に切替操作されていることを、その赤色を遮光表示禁止して直感的に把握させることができる。
【００５０】
このように本実施形態においては、上述実施形態による作用効果に加えて、円筒部材１１、３１内の全面の赤色表示の有無により、制御装置１００の切替スイッチ１０１による切替操作をより明確に把握可能にすることができる。
【００５１】
次に、図６は本発明に係る表示装置の第３実施形態を示す図である。
図６において、表示装置１０は、図１に示す制御装置１００の切替スイッチ１０１に取り付けられており、外円筒部材１１は、ガイド溝１１ｃで内円筒部材３１を回転自在に保持するとともに、その底部内面１１ｂが赤色内に「入」という文字を大きく表示する文字領域Ｃ３に構成されている。
【００５２】
これにより、表示装置１０は、図６（ｂ）に示すように、制御装置１００の切替スイッチ１０１が入り状態に切替操作されていることを、外円筒部材１１の底部内面１１ｂ全面の赤色（表示情報）と共に、「入」という大きな文字（装置状態情報）も目視可能に透過表示して直感的かつ直接的に把握させることができる。
【００５３】
このように本実施形態においては、上述実施形態による作用効果に加えて、円筒部材１１、３１内の全面の赤色表示の有無だけでなく、「入」という文字の表示の有無により制御装置１００の切替スイッチ１０１による切替操作をより明確かつ分かり易くすることができる。
【００５４】
ここで、上述実施形態では、表示装置１０を制御装置１００の切替スイッチ１０１の円形外面１０１ｂに貼付して固設する場合を一例にして説明するが、これに限るものではなく、例えば、図７に示すように、その切替スイッチ１０１の外周面に嵌め込むことのできる円筒形状部４１を外円筒部材１１に一体形成して容易に取り付けることができるようにしてもよい。また、後付けだけでなく、切替スイッチ１０１に表示装置１０と同様な構成を備えさせてもよい。
【００５５】
また、上述実施形態では、表示装置１０で表示する情報は制御装置１００側とは別に設ける場合を一例にして説明するが、これに限るものではなく、制御装置１００側に存在する既設情報、例えば、切替スイッチ１０１の円形外面１０１ｂ内に入り／切り文字をそれぞれ表示する場合には、その入り／切り文字の一方を表示許可または表示禁止して、直感的に把握できるようにすることもできる。
【００５６】
また、上述実施形態では、偏光フィルムが相対回転して透光／遮光を切り替える場合を一例にして説明するが、これに限るものではなく、透過する光の振動方向の異なる偏光フィルムを直線方向に並列させて、直線方向に相対的に変移する度に透過／遮光を切り替えて表示許可／表示禁止を実行するようにしてもよい。
【００５７】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５８】
これまで本発明の一実施形態について説明したが、本発明は上述の実施形態に限定されず、その技術的思想の範囲内において種々異なる形態にて実施されてよいことは言うまでもない。
【符号の説明】
【００５９】
１０    表示装置
１１    外円筒部材
１１ａ  底部外面
１１ｂ  底部内面
１１ｃ  ガイド溝
１２    支持軸
１５    外偏光フィルム
２１、３１      内円筒部材
２２、３２      錘部
２５    内偏光フィルム
４１    円筒形状部
１００  制御装置
１０１  切替スイッチ
１０１ａ        指示突起
Ｃ１〜Ｃ３      文字領域
【図１】
0005213994.tif 000002
【図２】
0005213994.tif 000003
【図３】
0005213994.tif 000004
【図４】
0005213994.tif 000005
【図５】
0005213994.tif 000006
【図６】
0005213994.tif 000007
【図７】
0005213994.tif 000008